(57)【要約】【課題】  書類ホルダのような薄くかつ変形しやすい物品に貼り付けられるタグの情報を簡単かつ確実に読み取ることができるＲＦＩＤシステム及びタグ並びに書類ホルダの管理方法の提供。【解決手段】クリアホルダ４１等の書類ホルダの取り出し側の辺の近傍に貼り付けられるタグ２０と、書類ホルダの取り出し側から近づけ、タグ２０に記憶された情報を読み取る携帯型のリーダ又はリーダ／ライタとを含むＲＦＩＤシステムにおいて、書類ホルダに貼り付けるタグ２０の視認面に該タグ２０を略等分割する位置を示す位置決めマーク２５を形成し、位置決めマーク２５に基づいて書類ホルダを挟んで配置される他のタグ２０の貼り付け位置を規定する。これにより、タグ２０を略一定の間隔でずらして貼り付けることができるため、タグ２０同士の相互干渉を抑制してタグ２０の情報を簡単かつ確実に読み取ることができる。【選択図】図３
2008015959.tif 000002
【特許請求の範囲】
【請求項１】
アンテナとＩＣとを含み、書類を収納する略透明な書類ホルダの取り出し側の辺の近傍に貼り付けられるタグであって、
各々の前記タグの視認面に、前記書類ホルダを挟んで配置される他のタグをずらして貼り付けるための位置決めマークが形成されていることを特徴とするタグ。
【請求項２】
アンテナとＩＣとを含み、書類を収納する書類ホルダの取り出し側の辺から一部がはみ出すように貼り付けられるタグであって、
各々の前記タグの視認面の前記一部を含む領域に、前記書類ホルダを挟んで配置される他のタグをずらして貼り付けるための位置決めマークが形成されていることを特徴とするタグ。
【請求項３】
前記タグの前記書類ホルダに貼り付ける面の、前記一部を除く領域のみに粘着材が形成されていることを特徴とする請求項２記載のタグ。
【請求項４】
前記位置決めマークは、前記アンテナを覆う保護膜上に印刷によって形成、又は、前記アンテナと同じ層に該アンテナと同じ部材で形成されていることを特徴とする請求項１乃至３のいずれか一に記載のタグ。
【請求項５】
前記位置決めマークは、前記辺の方向に対して前記タグを略等分割する位置に形成されていることを特徴とする請求項１乃至４のいずれか一に記載のタグ。
【請求項６】
書類を収納する略透明な複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムであって、
各々の前記タグの視認面に、所定の位置決めマークが形成され、
いずれかの書類ホルダのタグと、前記書類ホルダに重ね合わされる他の書類ホルダの他のタグとが、前記位置決めマークに基づいて互いにずれて貼り付けられていることを特徴とするＲＦＩＤシステム。
【請求項７】
書類を収納する複数の書類ホルダと、アンテナとＩＣとを含み、前記書類ホルダの取り出し側の辺から一部がはみ出すように貼り付けられるタグと、電磁誘導又は電磁結合を利用して前記タグと交信を行うリーダ又はリーダ／ライタとを少なくとも備えるＲＦＩＤシステムであって、
各々の前記タグの視認面の前記一部を含む領域に、所定の位置決めマークが形成され、
いずれかの書類ホルダのタグと、前記書類ホルダに重ね合わされる他の書類ホルダの他のタグとが、前記位置決めマークに基づいて互いにずれて貼り付けられていることを特徴とするＲＦＩＤシステム。
【請求項８】
前記タグの前記書類ホルダに貼り付ける面の、前記一部を除く領域のみに粘着材が形成されていることを特徴とする請求項７記載のＲＦＩＤシステム。
【請求項９】
前記位置決めマークは、前記アンテナを覆う保護膜上に印刷によって形成、又は、前記アンテナと同じ層に該アンテナと同じ部材で形成されていることを特徴とする請求項６乃至８のいずれか一に記載のＲＦＩＤシステム。
【請求項１０】
前記位置決めマークは、前記辺の方向に対して前記タグを略等分割する位置に形成されていることを特徴とする請求項６乃至９のいずれか一に記載のＲＦＩＤシステム。
【請求項１１】
書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、
いずれかの書類ホルダのタグと、前記書類ホルダに重ね合わせる他の書類ホルダの他のタグとを、前記辺の方向に位置をずらして貼り付けることを特徴とする書類ホルダの管理方法。
【請求項１２】
書類を収納する略透明な複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、
各々の前記タグの視認面に、所定の位置決めマークを形成し、
いずれかの書類ホルダのタグの視認面側に重ね合わせた他の書類ホルダを通して前記位置決めマークを視認し、
前記位置決めマークに基づいて、前記他の書類ホルダに他のタグをずらして貼り付けることを特徴とする書類ホルダの管理方法。
【請求項１３】
書類を収納する複数の書類ホルダと、アンテナとＩＣとを含み、前記書類ホルダの取り出し側の辺から一部がはみ出すように貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、
各々の前記タグの視認面の前記一部を含む領域に、所定の位置決めマークを形成し、
いずれかの書類ホルダのタグの視認面側に重ね合わせた他の書類ホルダからはみ出した前記位置決めマークを視認し、
前記位置決めマークに基づいて、前記他の書類ホルダに他のタグをずらして貼り付けることを特徴とする書類ホルダの管理方法。
【請求項１４】
前記タグの前記書類ホルダに貼り付ける面の、前記一部を除く領域のみに粘着材を形成することを特徴とする請求項１３記載の書類ホルダの管理方法。
【請求項１５】
前記位置決めマークを、前記アンテナを覆う保護膜上に印刷によって形成、又は、前記アンテナと同じ層に該アンテナと同じ部材で形成することを特徴とする請求項１２乃至１４のいずれか一に記載の書類ホルダの管理方法。
【請求項１６】
前記位置決めマークを、前記辺の方向に対して前記タグを略等分割する位置に形成することを特徴とする請求項１２乃至１５のいずれか一に記載の書類ホルダの管理方法。
【請求項１７】
書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、
各々の前記書類ホルダに、所定の位置決めマークを形成し、
いずれかの書類ホルダのタグと、前記書類ホルダに重ね合わせる他の書類ホルダの他のタグとを、前記位置決めマークに基づいて互いにずらして貼り付けることを特徴とする書類ホルダの管理方法。
【請求項１８】
書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、
各々の前記書類ホルダに、所定の位置決めマークが予め形成されたシートを貼り付け、
いずれかの書類ホルダのタグと、前記書類ホルダに重ね合わせる他の書類ホルダの他のタグとを、前記シートに形成された前記位置決めマークに基づいて互いにずらして貼り付けることを特徴とする書類ホルダの管理方法。
【発明の詳細な説明】
【技術分野】
【０００１】
本発明は、ＲＦＩＤ（Radio Frequency Identification）システム及びタグ並びにその利用方法に関し、特に、書類を収納するための書類ホルダの管理に利用するＲＦＩＤシステム及びタグ並びに該ＲＦＩＤシステムを利用した書類ホルダの管理方法に関する。
【背景技術】
【０００２】
近年、ＩＣチップを備えたタグとリーダ／ライタ（又はリーダ）との間でデータの交信を行うＲＦＩＤシステムが普及している。このＲＦＩＤシステムは、タグ及びリーダ／ライタの各々に備えたアンテナを用いてデータの交信を行うため、タグをリーダ／ライタから数ｃｍ乃至数十ｃｍ離しても通信可能であり、また、汚れや静電気等に強いという長所から、物品の管理、物流の管理、入退室管理等の様々な分野に利用されるようになってきている。
【０００３】
例えば、書籍の管理に関して、従来はバーコードなどの光学式自動認識技術により書籍の棚卸、捜索、誤保管指摘を実施しており、この方法では保管場所から各書籍をひとつずつ取り出してデータの読み取りを行う必要があり、膨大な時間と作業工数がかかっていたが、上述したＲＦＩＤシステムを利用して書籍にタグを貼り付けることにより、各書籍をひとつずつ取り出してデータの読み取りを行う必要がなくなり、容易に書籍を管理することができる。
【０００４】
このタグの基本的な回路要素は、共振回路を構成するためのアンテナ及びコンデンサと情報を記憶するためのＩＣチップであり、共振回路を構成するアンテナコイルのインダクタンスＬとコンデンサの静電容量Ｃとで設定される共振周波数ｆを、所望する周波数帯域（例えば、１３．５６ＭＨｚ）に調整することによりデータの交信を行うが、タグを貼り付けた書籍を重ねると、コイルの相互インダクタンス効果により、共振周波数がずれてしまい読み取り成功率が低下するという問題がある。
【０００５】
この問題に対して、下記特許文献１には、書籍などに貼り付けたＩＣタグとの無線通信が可能なアンテナと、保持者によって保持される保持部を備えた手持ち型の無線ＩＣタグ読取装置において、アンテナを収納するアンテナ外装を、隣接した物品の間に差し込み可能な薄型平状体に形成して備えると共に、薄型平状体の両側面が開放状態となるよう、アンテナ外装を無線ＩＣタグ読取装置本体から突出して配置した構成が開示されている。
【０００６】
【特許文献１】特許第３５５１９６２号（第５−１５頁、第１図）
【発明の開示】
【発明が解決しようとする課題】
【０００７】
上述した無線ＩＣタグ読取装置（リーダ／ライタ）を用いることにより、タグを貼り付けた書籍が並べて配列されている場合でも、本体から突出したアンテナ外装を隣接した書籍の間に差し込むことによりデータの読み取りを行うことができるが、この方法では、アンテナ外装が本体から突出した専用のリーダ／ライタを使用しなければならないため、汎用性が低く、また、書籍の間にアンテナ外装を差し込むという操作を繰り返さなければならないため、管理対象となる物品が多数の場合に管理が煩雑になり、操作性が悪いという問題があった。
【０００８】
また、管理対象となる物品が書籍の場合、書籍にはある程度の厚みがあり、また、その背面は背表紙が設けられているため、アンテナ外装を挿入する場所を簡単に見つけ出すことができるが、管理対象となる物品が書類ホルダのような薄い物品の場合には、アンテナ外装を挿入する場所を探すのは容易ではなく、管理に時間を要するという問題があった。
【０００９】
また、管理対象となる物品が書籍の場合、書籍の表裏面は厚手の表紙及び裏表紙で覆われておりある程度の堅さがあるため、アンテナ外装を差し込むことができるが、管理対象となる物品が書類ホルダのような変形しやすい物品の場合には、アンテナ外装を差し込むことが難しく、アンテナ外装を無理に差し込むと、管理対象となる書類ホルダや書類ホルダに収納されている書類が損傷してしまう恐れがある。
【００１０】
本発明は、上記問題点に鑑みてなされたものであって、その主たる目的は、書類ホルダのような薄くかつ変形しやすい物品に貼り付けられるタグの情報を簡単かつ確実に読み取ることができるＲＦＩＤシステム及びタグ並びに書類ホルダの管理方法を提供することにある。
【課題を解決するための手段】
【００１１】
上記目的を達成するため、本発明は、アンテナとＩＣとを含み、書類を収納する略透明な書類ホルダの取り出し側の辺の近傍に貼り付けられるタグであって、各々の前記タグの視認面に、前記書類ホルダを挟んで配置される他のタグをずらして貼り付けるための位置決めマークが形成されているものである。
【００１２】
また、本発明は、アンテナとＩＣとを含み、書類を収納する書類ホルダの取り出し側の辺から一部がはみ出すように貼り付けられるタグであって、各々の前記タグの視認面の前記一部を含む領域に、前記書類ホルダを挟んで配置される他のタグをずらして貼り付けるための位置決めマークが形成されているものであり、前記タグの前記書類ホルダに貼り付ける面の、前記一部を除く領域のみに粘着材が形成されている構成とすることができる。
【００１３】
本発明においては、前記位置決めマークは、前記アンテナを覆う保護膜上に印刷によって形成、又は、前記アンテナと同じ層に該アンテナと同じ部材で形成されている構成とすることができる。
【００１４】
また、本発明においては、前記位置決めマークは、前記辺の方向に対して前記タグを略等分割する位置に形成されている構成とすることができる。
【００１５】
また、本発明は、書類を収納する略透明な複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムであって、各々の前記タグの視認面に、所定の位置決めマークが形成され、いずれかの書類ホルダのタグと、前記書類ホルダに重ね合わされる他の書類ホルダの他のタグとが、前記位置決めマークに基づいて互いにずれて貼り付けられているものである。
【００１６】
また、本発明は、書類を収納する複数の書類ホルダと、アンテナとＩＣとを含み、前記書類ホルダの取り出し側の辺から一部がはみ出すように貼り付けられるタグと、電磁誘導又は電磁結合を利用して前記タグと交信を行うリーダ又はリーダ／ライタとを少なくとも備えるＲＦＩＤシステムであって、各々の前記タグの視認面の前記一部を含む領域に、所定の位置決めマークが形成され、いずれかの書類ホルダのタグと、前記書類ホルダに重ね合わされる他の書類ホルダの他のタグとが、前記位置決めマークに基づいて互いにずれて貼り付けられているものである。
【００１７】
また、本発明の方法は、書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、いずれかの書類ホルダのタグと、前記書類ホルダに重ね合わせる他の書類ホルダの他のタグとを、前記辺の方向に位置をずらして貼り付けるものである。
【００１８】
また、本発明の方法は、書類を収納する略透明な複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、各々の前記タグの視認面に、所定の位置決めマークを形成し、いずれかの書類ホルダのタグの視認面側に重ね合わせた他の書類ホルダを通して前記位置決めマークを視認し、前記位置決めマークに基づいて、前記他の書類ホルダに他のタグをずらして貼り付けるものである。
【００１９】
また、本発明の方法は、書類を収納する複数の書類ホルダと、アンテナとＩＣとを含み、前記書類ホルダの取り出し側の辺から一部がはみ出すように貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、各々の前記タグの視認面の前記一部を含む領域に、所定の位置決めマークを形成し、いずれかの書類ホルダのタグの視認面側に重ね合わせた他の書類ホルダからはみ出した前記位置決めマークを視認し、前記位置決めマークに基づいて、前記他の書類ホルダに他のタグをずらして貼り付けるものである。
【００２０】
また、本発明の方法は、書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、各々の前記書類ホルダに、所定の位置決めマークを形成し、いずれかの書類ホルダのタグと、前記書類ホルダに重ね合わせる他の書類ホルダの他のタグとを、前記位置決めマークに基づいて互いにずらして貼り付けるものである。
【００２１】
また、本発明の方法は、書類を収納する複数の書類ホルダと、アンテナとＩＣとを含み、前記書類ホルダの取り出し側の辺の近傍に貼り付けられるタグと、電磁誘導又は電磁結合を利用して前記タグと交信を行うリーダ又はリーダ／ライタとを少なくとも備えるＲＦＩＤシステムを用いた書類ホルダの管理方法であって、各々の前記書類ホルダに、所定の位置決めマークが予め形成されたシートを貼り付け、いずれかの書類ホルダのタグと、前記書類ホルダに重ね合わせる他の書類ホルダの他のタグとを、前記シートに形成された前記位置決めマークに基づいて互いにずらして貼り付けるものである。
【００２２】
このように、書類ホルダにタグをずらして貼り付けることにより、タグ同士の相互干渉を抑制することができ、また、位置決めマークに基づいてタグを貼り付けることにより、タグのずらし量を略一定にすることができるため、タグ同士の相互干渉をより確実に抑制することができ、各々の書類ホルダに貼り付けられたタグの情報を簡単かつ確実に読み取ることができる。
【発明の効果】
【００２３】
本発明のＲＦＩＤシステム及びタグ並びに書類ホルダの管理方法によれば、各々の書類ホルダに貼り付けられたタグの情報を簡単かつ確実に読み取ることができる。
【００２４】
その理由は、クリアホルダ等の書類ホルダにタグをずらして貼り付けることにより、タグ同士の相互干渉を抑制することができるからである。また、書類ホルダに貼り付けるタグの視認面に、該タグを略等分割する位置を示す位置決めマークを形成したり、書類ホルダに、タグの貼付位置を示す位置決めマークを形成したり、書類ホルダに貼り付けるシートに、タグの貼付位置を示す位置決めマークを形成し、位置決めマークに基づいてタグを貼り付けることにより、タグのずらし量を略一定にすることができるため、タグ同士の相互干渉をより確実に抑制することができからである。
【発明を実施するための最良の形態】
【００２５】
本発明は、その好ましい一実施の形態において、クリアホルダなどの書類ホルダの取り出し側の辺の近傍に貼り付けられるタグと、書類ホルダの取り出し側から近づけ、タグに記憶された情報を読み取る携帯型のリーダ又はリーダ／ライタとを含むＲＦＩＤシステムにおいて、書類ホルダに貼り付けるタグの視認面に、該タグを略等分割する位置を示す位置決めマークを形成したり、書類ホルダに、タグの貼付位置を示す位置決めマークを形成したり、書類ホルダに貼り付けるシートに、タグの貼付位置を示す位置決めマークを形成し、位置決めマークに基づいて各々の書類ホルダにタグを貼り付ける。これにより、タグを略一定のずらし量でずらして貼り付けることができるため、タグ同士の相互干渉を抑制することができ、各々の書類ホルダに貼り付けられたタグの情報を簡単かつ確実に読み取ることができる。
【実施例１】
【００２６】
上記した本発明の実施の形態についてさらに詳細に説明すべく、本発明の第１の実施例に係るＲＦＩＤシステム及びタグ並びに書類ホルダの管理方法について、図１乃至図１４を参照して説明する。図１は、本実施例のＲＦＩＤシステムの全体構成を模式的に示す図であり、図２は、ＲＦＩＤシステムの一般的な構成を示す図である。また、図３は、本実施例のタグの構成を示す平面図及び断面図であり、図４は、書類ホルダにタグを貼り付ける手順を示す平面図、図５は、タグを貼り付けた複数の書類ホルダを重ね合わせた状態を示す図である。また、図６は、書類ホルダにタグを貼り付ける他の手順を示す平面図であり、図７乃至図９は、本実施例のタグの他の構成例を示す図である。また、図１０は、本実施例の書類ホルダの構成及び該書類ホルダにタグを貼り付ける手順を示す図であり、図１１は、本実施例の書類ホルダに貼り付けるシートの構成及び該シートを貼り付けた書類ホルダにタグを貼り付ける手順を示す図である。また、図１２乃至図１４は、引き出しにクリアホルダを収納した状態、タグの具体的構成、クリアホルダを配列した状態を示す図である。
【００２７】
図１に示すように、本実施例のＲＦＩＤシステム１０は、一辺、又は隣接する２辺、又は隣接する３辺を開放状態にして矩形の部材などを貼り合わせて形成した書類を収納するための複数の書類ホルダ４０と、各々の書類ホルダ４０の取り出し側（図の上側）の辺の近傍に貼り付けられるタグ２０と、書類ホルダ４０の取り出し側から近づけ、電磁誘導又は電磁結合を利用して、各々の書類ホルダ４０に貼り付けられたタグ２０と交信する携帯型のリーダ又はリーダ／ライタ（以下、リーダ／ライタ３０とする。）とを備え、複数の書類ホルダ４０は一定方向に配列されて机の引き出しやキャビネットなどの収納容器５０に保管される。
【００２８】
また、図２に示すように、リーダ／ライタ３０は、タグ２０とデータの交信を行うアンテナ部３１と、送受信信号を変換するための通信回路部３３や送受信信号をデコードするための演算処理部３４などを含む制御部３２とからなり、アンテナ部３１と制御部３２とはコードを介して又は無線や赤外線などで接続されている。また、タグ２０は、共振回路２３を構成するタグアンテナ２１及びコンデンサ２２と、各々の書類ホルダ４０や該書類ホルダ４０に収納する書類に関する情報を記憶するＩＣ２４とを備え、内蔵する電源又はリーダ／ライタ３０から供給される電源を用いて駆動される。なお、ＩＣ２４に容量を備える場合はコンデンサ２２を省略することができる。
【００２９】
このＲＦＩＤシステム１０におけるリーダ／ライタ３０とタグ２０とのデータの交信は、所望の通信周波数（例えば、１３．５６ＭＨｚ）により行われるため、タグ２０の共振回路２３の共振周波数を上記通信周波数に正確に設定する必要がある。ここで、タグ２０が単独状態で管理される物品に貼り付けられる場合には、上記所望の通信周波数となるようにタグアンテナ２１やコンデンサ２２を設計し、また、製造後にトリミング用コンデンサをカットするなどして正確に共振周波数を合わせ込むことができる。
【００３０】
しかしながら、タグ２０が配列して管理される物品に貼り付けられる場合には、タグ２０同士が近接して配置されるため、単独状態では正確な共振周波数に設定されていても、各々のタグ２０の磁束が隣接するタグ２０に鎖交することにより、共振周波数にずれが生じ、リーダ／ライタ３０でタグ２０の情報を確実に読み取ることができない場合が生じる。
【００３１】
そこで、本実施例では、タグ２０が貼り付けられる書類ホルダ４０が配列される場合であっても、各々のタグ２０の磁束が隣接したタグ２０と鎖交しにくくなるように、図１に示すように、タグ２０の位置をずらして書類ホルダ４０に貼り付ける。
【００３２】
なお、図１では、各々のタグ２０を、その両側の書類ホルダ４０に貼り付けられるタグ２０に対して、位置をずらしているが、複数の書類ホルダ４０（例えば１５枚の書類ホルダ４０）をセットにして、各々のセットの書類ホルダ４０に貼り付けるタグ２０を、その両側に配置されるセットの書類ホルダ４０に貼り付けるタグ２０に対してずらしてもよく、各々のセットの書類ホルダ４０の数量は、タグ２０のタグアンテナ２１のサイズやリーダ／ライタ３０のアンテナ部３１のサイズ、ＲＦＩＤシステム１０に求められる読み取り成功率などに応じて適宜設定することができる。また、図１ではタグ２０の貼り付け位置を見やすくするために各々の書類ホルダ４０を離して配置しているが、書類ホルダ４０は隙間無く配列してもよい。
【００３３】
ここで、書類ホルダ４０にタグ２０をずらして貼り付ける場合、ずらし量が変化すると読み取り成功率も変化すると考えられることから、ずらし量は略一定にする必要がある。しかしながら、従来のタグには、ずらして貼り付けるための目印がなく、各々の書類ホルダ４０にタグ２０を貼り付ける際に、作業者が物差しなどを用いてずらし量を測定してタグ２０の貼付位置を決めなければならなかったため、作業性が悪く、また、測定誤差によりずらし量が変動してしまうという問題があった。
【００３４】
一方、書類ホルダ４０として、収納する書類を識別できるようにするためにプラスチックなどの略透明な素材で形成したホルダ（以下、クリアホルダと呼ぶ。）が知られており、クリアホルダにタグ２０を貼り付ける場合には、タグ２０を貼り付けたクリアホルダの上に次のクリアホルダを重ねても、下のクリアホルダに貼り付けたタグ２０を視認することができる。
【００３５】
そこで、本実施例では、上記クリアホルダの特質を利用して、略同一形状のクリアホルダに対して略一定のずらし量でタグ２０を貼り付けられるように、タグ２０の貼付位置の目印（以下、位置決めマークと呼ぶ。）を視認可能に形成する。
【００３６】
具体的には、図３（ａ）及びそのＸ−Ｘ断面を示す図３（ｂ）に示すように、タグ２０は、ＦＲＰ（fiber reinforced plastic）やＰＥＴ（polyethylene terephthalate）などのプラスチックの基材２６の表面又は表裏面に、導体薄膜をエッチングしてタグアンテナ２１やコンデンサ２２（ここでは共振周波数を調整できるように一方の面に櫛歯状の電極を形成し、他方の面に対向電極を形成しているがコンデンサ２２の形態は任意である。）が形成され、タグアンテナ２１やコンデンサ２２の接点にＩＣ２４が接続され、それらを覆うようにプラスチックフィルムなどの保護膜２７が形成され、裏面（貼り付け面）側には粘着層２８が形成されており、更に、タグ２０の視認面（貼り付け面と反対側の面）側の所定の位置（好ましくはタグ２０を２以上の整数で略等分に分割する位置、ここでは３等分に分割する位置）に、位置決めマーク２５が形成されている。
【００３７】
そして、図４（ａ）に示すように、下側のタグ２０を１枚目のクリアホルダ４１の取り出し側の辺の近傍（ここでは左上の端部）に貼り付けた後、図４（ｂ）に示すように、２枚目のクリアホルダ４１を重ね、更に図４（ｃ）に示すように、下側のタグ２０に形成した位置決めマーク２５（ここでは右側の位置決めマーク２５）を２枚目のクリアホルダ４１を通して視認し、その位置決めマーク２５を基準にして、端部（ここでは左端部）が位置決めマーク２５に一致するように上側のタグ２０を貼り付け、続いて、３枚目のクリアホルダ４１を重ねて、下側のタグ２０と同じ位置に次にタグ２０を貼り付け、以下、同様に繰り返す。このようにしてタグ２０を交互にずらして貼り付けたクリアホルダ４１を配列した状態を上側から見ると図５のようになり、タグ２０が略一定のずらし量でずれた状態で配置される。
【００３８】
なお、上記ではクリアホルダ４１毎にタグ２０の貼り付け位置を変えたが、複数のクリアホルダ４１をセットにして、セット毎にタグ２０の貼り付け位置をずらしてもよい。また、上記では、下側のタグ２０の位置決めマーク２５に基づいて上側のタグ２０の貼り付け位置をずらした後、次のタグ２０を元の位置に戻したが、２回以上、タグ２０の貼り付け位置を同じ方向にずらしてもよい。また、図４では、タグ２０を長辺に対して２／３ずらすために、下側のタグ２０の右側の位置決めマーク２５と上側のタグ２０の端部とを位置合わせしたが、タグ２０を長辺に対して１／３ずらす場合は、図６に示すように、下側のタグ２０の左側の位置決めマーク２５と上側のタグ２０の端部とを位置合わせすればよい。また、図４及び図６では、下側のタグ２０の位置決めマーク２５と上側のタグ２０の端部とを位置合わせしたが、タグ２０を構成する基材２６，保護膜２７、粘着層２８が略透明な場合は、下側のタグ２０の位置決めマーク２５や端部（例えば、右端部）と上側のタグ２０の位置決めマーク２５とを位置合わせしてもよい。
【００３９】
また、タグ２０に形成する位置決めマーク２５の形態は任意であり、図のような線状にする場合は線の太さ、色、線の種類（実線、破線など）は適宜設定することができる。また、位置決めマーク２５は表面側から視認できるものであればよく、例えば、図３（ｂ）に示すように保護膜２７上に印刷などによって形成してもよいし、図３（ｃ）に示すように、保護膜２７に凹凸部（ここでは凹部）を設け、この凹凸部を位置決めマーク２５としてもよい。また、タグ２０の貼付位置は図４の構成に限定されず、クリアホルダ４１の中央上や右上としてもよいし、取り出し側の辺の近傍から多少離してもよい。また、クリアホルダ４１は完全に透明である必要はなく、裏面がある程度透けて見えればよく、また、任意の色に着色されていてもよい。
【００４０】
また、図３では、位置決めマーク２５を一方の長辺から他方の長辺に向かってタグ２０を横切るように形成したが、位置決めマーク２５は位置合わせが可能であればよく、例えば、タグ２０の長辺近傍のみに形成してもよく、また、位置決めマーク２５は線状である必要はなく、図７（ａ）に示すような三角形や、矢印、ドットなどとしてもよい。このように位置決めマーク２５をタグアンテナ２１を横切らないように部分的に形成する場合は、基材２６上に形成してもよく、基材２６上に形成する場合は、図７（ａ）のＹ−Ｙ断面を示す図７（ｂ）に示すように、タグアンテナ２１やコンデンサ２２を形成する際に、位置決めマーク２５を形成する位置に導体薄膜が残るようにエッチングして形成することもできる。
【００４１】
また、図３及び図７では、位置決めマーク２５をタグ２０の長辺を分割する位置に形成したが、図８に示すように、位置決めマーク２５をタグ２０の短辺を分割する位置（好ましくは短辺を略等分割する位置）に形成してもよい。また、タグ２０とリーダ／ライタ３０との距離を略一定にするために、図４や図６では、タグ２０をクリアホルダ４１の取り出し側の辺に沿って図の横方向にずらして貼り付けたが、図８のタグ２０の長辺をクリアホルダ４１の取り出し側の辺に合わせて貼り付ける場合に、他のタグ２０を図４や図６の縦方向にずらして貼付することもできる。
【００４２】
また、図３、図７及び図８では、タグ２０に２本の位置決めマーク２５を形成したが、図４に示すように、一方のタグ２０の位置決めマーク２５と他方のタグ２０の端部とを位置合わせする場合は、位置決めマーク２５を１本（図４の構成の場合は右側の位置決めマーク）のみとしてもよい。また、図４及び図６では、複数のタグ２０を同じ向きにしてクリアホルダ４１に貼り付けたが、タグアンテナ２１が基材２６上に略対称位置に形成されている場合は、図９に示すように、タグ２０を１８０度回転させて貼付することもできる。
【００４３】
また、図３、図７乃至図９では、タグ２０自体に位置決めマーク２５を形成したが、書類ホルダ４０側に位置決めマーク２５を形成することもできる。例えば、図１０（ａ）に示すように、タグ２０のずらし量に基づいて、書類ホルダ４０に予め位置決めマーク２５を印刷などによって形成しておき、図１０（ｂ）に示すように、下側のタグ２０を書類ホルダ４０の端部（ここでは左上の端部）に貼り付けた後、図１０（ｃ）に示すように、書類ホルダ４０の位置決めマーク２５に上側のタグ２０の端部（ここでは左上の端部）を位置合わせして貼り付けることもできる。この構成の場合、書類ホルダ４０を挟んで下側に配置したタグ２０に合わせて上側のタグ２０を貼り付けるわけではないため、書類ホルダ４０は透明である必要はなく、紙などの材料で形成したホルダや封筒などを利用することができる。
【００４４】
なお、図１０では一方のタグ２０を書類ホルダ４０の端部に合わせ、他方のタグ２０を書類ホルダ４０に形成した位置決めマーク２５に合わせたが、各々の書類ホルダ４０に位置決めマーク２５を２本形成して一方のタグ２０を一方の位置決めマーク２５に合わせ、他方のタグ２０を他方の位置決めマーク２５に合わせてもよいし、各々の書類ホルダ４０に位置決めマーク２５を３本以上形成して各々のタグ２０を順次異なる位置決めマーク２５に合わせてもよい。
【００４５】
また、図１０では、書類ホルダ４０に位置決めマーク２５を形成したが、この構成では位置決めマーク２５が形成されていない市販の書類ホルダ４０を利用することができない。そこで、市販の書類ホルダ４０を用いる場合には、図１１（ａ）に示すように、予め位置決めマーク２５が形成されたシート（材料や色などは任意）を書類ホルダ４０の所定の位置（ここでは左上の端部）に貼り付け、図１１（ｂ）に示すように、下側のタグ２０を書類ホルダ４０又はシート４２の所定の位置（ここでは左上）に貼り付けた後、上側のタグ２０をシート４２の位置決めマーク２５に合わせて貼り付けることもできる。この構成の場合も書類ホルダ４０は透明である必要はなく、任意の形態の書類ホルダ４０やタグ２０を利用することができるため、汎用性を高めることができる。
【００４６】
上述した様々な構成のタグ２０や書類ホルダ４０、シート４２を用いて、タグ２０を書類ホルダ４０にずらして貼り付けることにより、隣接するタグ２０同士の相互干渉を抑制することができるが、タグ２０のずらし量によってタグ２０の相互干渉の程度も変化すると考えられる。そこで、どの程度、貼付位置をずらせば隣接するタグの２０の相互干渉を抑制できるかを確認するために、以下の実験を行った。
【００４７】
まず、図１２に示すように、スチール製の引き出し５１に仕切り板５２を１１枚設け、各々の仕切り板５２の間（約２５ｍｍ）にＡ４用紙４枚（厚さ約１ｍｍ）を挟み込んだクリアホルダ４１をそれぞれ１５枚ずつ１０セット、計１５０枚を収納した。また、図１３に示すように、タグ２０のタグアンテナ２１は６回巻回した構造とし、最外周のタグアンテナ２１の外形は４６ｍｍ×７７ｍｍ、最内周のタグアンテナ２１の内径は２９ｍｍ×６１ｍｍとし、タグ２０の貼り付け位置は、クリアホルダ４１の左上の端部とした。また、図１４に示すように、１５枚のクリアホルダ４１を１セットとして、偶数セットのものについてはタグ２０を長辺方向にずらし、ずらし量が０（図１４（ａ）参照）、タグ２０の長辺の１／３（図１４（ｂ）参照）、１／２（図１４（ｃ）参照）、２／３（図１４（ｄ）参照）、１（図１４（ｅ）参照）とした。
【００４８】
一方、リーダ／ライタ３０のアンテナ部３１のアンテナサイズは３８ｍｍ×１１３ｍｍとし、ＦＲ長：３２ｂｉｔ、シリアル通信速度：３８４００ｂｐｓ、スキャン速度：１０枚／秒で、アンテナ部３１の長辺方向とタグ２０の長辺方向とを合わせて、手前から奥（往復の場合は、手前→奥、奥→手前の順）に５回スキャンして、読み取り実験を行った。その結果を表１に示す。
【００４９】
【表１】
2008015959.tif 000003
【００５０】
表１より、ずらし量が０（図１４（ａ））の場合、読み取り成功率は平均で略４７％と低いのに対して、ずらし量が大きくなると読み取り成功率は徐々に大きくなり、ずらし量が２／３（図１４（ｄ））のときに読み取り成功率は平均で略９４％と最良の結果が得られた。また、ずらし量が１（図１４（ｅ））の場合に読み取り成功率は低くなっているが、これは、ずらして配置した２種類のタグ２０のタグアンテナ２１の長辺方向の幅がリーダ／ライタ３０のアンテナ部３１の長辺方向の幅よりも大きくなるとタグアンテナ２１とアンテナ部３１との重なりが小さくなってしまうためと考えられる。
【００５１】
なお、上記条件では、タグ２０を長辺の２／３ずらした場合に最も読み取り成功率が高くなったが、タグ２０のタグアンテナ２１とリーダ／ライタ３０のアンテナ部３１のサイズや形状、読み取り時のタグアンテナ２１とアンテナ部３１との距離や位置関係、タグアンテナ２１に対するアンテナ部３１の角度、１セットのクリアホルダ４１の枚数などに応じて最適なずらし量が変動することから、ずらし量はこれらの条件に合わせて適宜設定することが好ましい。
【００５２】
このように、クリアホルダ４１などの書類ホルダ４０の取り出し側の辺の近傍に貼り付けられるタグ２０と、書類ホルダ４０の取り出し側から近づけ、タグ２０に記憶された情報を読み取る携帯型のリーダ／ライタ３０とを含むＲＦＩＤシステム１０において、書類ホルダ４０に貼り付けるタグ２０に、該タグ２０を上記辺の方向に対して分割する位置（好ましくは２以上の整数で略等分割する位置）を示す位置決めマーク２５を形成したり、書類ホルダ４０に、タグ２０の貼付位置を示す位置決めマーク２５を形成したり、書類ホルダ４０に貼り付けるシート４２に、タグ２０の貼付位置を示す位置決めマーク２５を形成し、位置決めマーク２５に基づいて各々のタグ２０を書類ホルダ４０に貼り付けることにより、タグ２０を略一定のずらし量（好ましくは２／３のずらし量）でずらして貼り付けることができるため、タグ２０同士の相互干渉を抑制することができ、各々の書類ホルダ４０に貼り付けられたタグ２０の情報を簡単かつ確実に読み取ることができる。
【実施例２】
【００５３】
次に、本発明の第２の実施例に係るＲＦＩＤシステム及びタグ並びに書類ホルダの管理方法について、図１５及び図１６を参照して説明する。図１５は、本実施例のタグの構成を示す平面図であり、図１６は、書類ホルダにタグを貼り付ける手順を示す平面図である。
【００５４】
前記した第１の実施例では、位置決めマーク２５を形成したタグ２０を書類ホルダ４０の取り出し側の辺からはみ出さないように貼り付けたが、この構成では書類ホルダ４０が透けていない場合に、下側のタグ２０の位置決めマーク２５を利用して上側のタグ２０の位置合わせを行うことができず、書類ホルダ４０又はシート４２に位置決めマーク２５を形成しなければならない。そこで本実施例では、透明ではない書類ホルダ４０にタグ２０を貼り付ける場合であってもタグ２０に形成した位置決めマーク２５を利用して位置合わせができるように、タグ２０を書類ホルダ４０の取り出し側の辺から一部がはみ出すように貼り付ける。
【００５５】
この場合、タグ２０の裏面側の全面に粘着層２８が形成されていると、書類ホルダ４０からはみ出した部分の粘着層２８が他の書類ホルダ４０やタグ２０に粘着してしまう恐れがあることから、図１５に示すように、タグ２０の裏面の書類ホルダ４０からはみ出す部分には粘着層２８を形成しないようにする。
【００５６】
そして、図１６（ａ）に示すように、下側のタグ２０を１枚目の書類ホルダ４０の上端部からはみ出すように貼り付けた後、図１６（ｂ）に示すように、２枚目の書類ホルダ４０を重ねると、２枚目の書類ホルダ４０の上部から下側のタグ２０が部分的に視認可能になる。そして図１６（ｃ）に示すように、下側のタグ２０に形成した位置決めマーク２５（ここでは右側の位置決めマーク２５）を基準にして、その端部（ここでは左端部）が位置決めマーク２５に一致するように上側のタグ２０を貼り付ける。
【００５７】
なお、本実施例においても、複数の書類ホルダ４０をセットにして、セット毎にタグ２０の貼り付け位置をずらしてもよいし、２回以上、タグ２０の貼り付け位置を同じ方向にずらしてもよい。また、タグ２０に形成する位置決めマーク２５の数量や形態などは任意であり、位置決めマーク２５は表面側から視認できるものであればよく、保護膜２７上に印刷などによって形成してもよいし、保護膜２７に凹凸部を設けてもよいし、位置決めマーク２５を三角形や矢印、ドットなどとして基材２６上に形成してもよい。また、位置決めマーク２５をタグ２０の短辺を分割する位置に形成してもよい。
【００５８】
このように、書類ホルダ４０の取り出し側の辺から一部がはみ出すように貼り付けられるタグ２０と、書類ホルダ４０の取り出し側から近づけ、タグ２０に記憶された情報を読み取る携帯型のリーダ／ライタ３０とを含むＲＦＩＤシステム１０において、書類ホルダ４０に貼り付けるタグ２０に、該タグ２０を上記辺の方向に対して分割する位置（好ましくは２以上の整数で略等分割する位置）を示す位置決めマーク２５を形成し、位置決めマーク２５に基づいて各々の書類ホルダ４０にタグ２０を貼り付けることにより、タグ２０を略一定のずらし量（好ましくは２／３のずらし量）でずらして貼り付けることができるため、タグ２０同士の相互干渉を抑制することができ、各々の書類ホルダ４０に貼り付けられたタグ２０の情報を簡単かつ確実に読み取ることができる。
【００５９】
なお、上記各実施例では、本発明のタグ２０を書類を収納する書類ホルダ４０に貼り付ける場合を示したが、本発明は上記実施例に限定されるものではなく、書類そのものや薄い書籍、ソフトケースに収納したＣＤ等の記録媒体などの薄く且つ変形しやすい物品全般に対して同様に適用することができる。
【産業上の利用可能性】
【００６０】
本発明は、ページ数が少なく薄い書類、契約書、債権書類、カルテ、図面、写真などを収納する書類ホルダを保管、管理し、各文書の棚卸、捜索、誤保管指摘を効率的に行うためのＲＦＩＤシステム及びタグ並びにその管理方法に利用可能である。
【図面の簡単な説明】
【００６１】
【図１】本発明の第１の実施例に係るＲＦＩＤシステムの構成を模式的に示す斜視図である。
【図２】ＲＦＩＤシステムの一般的な構成を示す図である。
【図３】本発明の第１の実施例に係るタグの構成を模式的に示す平面図及びＸ−Ｘ線における断面図である。
【図４】本発明の第１の実施例に係るタグをクリアホルダに貼り付ける手順を示す平面図である。
【図５】本発明の第１の実施例に係るタグを貼り付けたクリアホルダの配列状態を示す平面図である。
【図６】本発明の第１の実施例に係るタグをクリアホルダに貼り付ける手順の他の例を示す平面図である。
【図７】本発明の第１の実施例に係るタグの他の構成を模式的に示す平面図及びＹ−Ｙ線における断面図である。
【図８】本発明の第１の実施例に係るタグの他の構成を模式的に示す平面図である。
【図９】本発明の第１の実施例に係るタグの他の構成を模式的に示す平面図である。
【図１０】本発明の第１の実施例に係る書類ホルダにタグを貼付する手順を示す平面図である。
【図１１】本発明の第１の実施例に係るシートを備える書類ホルダにタグを貼付する手順を示す平面図である。
【図１２】タグを貼り付けたクリアホルダを引き出しに収納する様子を示す平面図である。
【図１３】タグの具体的な構成を示す平面図である。
【図１４】タグを貼り付けたクリアホルダを配列した状態を示す斜視図である。
【図１５】本発明の第２の実施例に係るタグの構成を模式的に示す平面図及びＺ−Ｚ線における断面図である。
【図１６】本発明の第２の実施例に係るタグをクリアホルダに貼り付ける手順を示す平面図である。
【符号の説明】
【００６２】
１０  ＲＦＩＤシステム
２０  タグ
２１  タグアンテナ
２２  コンデンサ
２３  共振回路
２４  ＩＣ
２５  位置決めマーク
２６  基材
２７  保護膜
２８  粘着層
３０  リーダ／ライタ
３１  アンテナ部
３２  制御部
３３  通信回路部
３４  演算処理部
４０  書類ホルダ
４１  クリアホルダ
４２  シート
５０  収納容器
５１  仕切り板
【図１】
2008015959.tif 000004
【図２】
2008015959.tif 000005
【図３】
2008015959.tif 000006
【図４】
2008015959.tif 000007
【図５】
2008015959.tif 000008
【図６】
2008015959.tif 000009
【図７】
2008015959.tif 000010
【図８】
2008015959.tif 000011
【図９】
2008015959.tif 000012
【図１０】
2008015959.tif 000013
【図１１】
2008015959.tif 000014
【図１２】
2008015959.tif 000015
【図１３】
2008015959.tif 000016
【図１４】
2008015959.tif 000017
【図１５】
2008015959.tif 000018
【図１６】
2008015959.tif 000019